(57)【要約】【課題】容量を増大するとともに、強度を向上することが可能なスーツケースを提供する。【解決手段】スーツケース１は、第１の収納部１０と、第２の収納部２０と、第１の収納部１０に開閉可能で設けられた開閉部１１と、第１の収納部１０及び第２の収納部２０の境界部分を開閉不可能に固定するフレーム３０とを具備する。【選択図】図１
0003233466.tif 000002
【実用新案登録請求の範囲】
【請求項１】
第１の収納部と、
第２の収納部と、
前記第１の収納部に開閉可能で設けられた開閉部と、
前記第１の収納部及び前記第２の収納部の境界部分を開閉不可能に固定するフレームと
を具備することを特徴とするスーツケース。
【請求項２】
前記フレームは、
前記第１の収納部と前記第２の収納部との間に挟まれた本体部と、
前記スーツケースの外側に位置し、前記本体部の一端から両側に延在する外側部と、
前記スーツケースの内側に位置し、前記本体部の他端から両側に延在する内側部と
を有することを特徴とする請求項１に記載のスーツケース。
【請求項３】
前記内側部の面は、前記第１の収納部及び前記第２の収納部の面に対して傾斜を有していることを特徴とする請求項１又は２に記載のスーツケース。
【考案の詳細な説明】
【技術分野】
【０００１】
本考案は、容量を増大するとともに、強度を向上することが可能なスーツケースに関する。
【背景技術】
【０００２】
旅行用の大型鞄として用いられるスーツケースは、２つの箱状の収納部により構成され、２つの収納部に対して荷物をそれぞれ入れることが可能である。さらに、小物を手軽に出し入れするための機能として、収納部に小型の開閉部が設けられたスーツケースも知られている（特許文献１参照）。
【０００３】
また、１つの箱状の収納部に対して、蓋部が開閉自在に設けられたスーツケースも存在する（特許文献２参照）。このようなスーツケースでは、深さの深い１つの収納部に荷物を入れることが可能であるため、大きな荷物を収納し易いというメリットがある。
【先行技術文献】
【特許文献】
【０００４】
【特許文献１】実用新案登録第３１８１４７０号公報
【特許文献２】特開２００９-１４８３２４号公報
【考案の概要】
【考案が解決しようとする課題】
【０００５】
しかしながら、特許文献１のような、２つの収納部で構成されたスーツケースは、２つの収納部に荷物を分けてそれぞれ入れる必要があり、収納可能な荷物の容量に制限がかかりやすい。また、特許文献２のような、１つの収納部で構成されたスーツケースは、収納部の側面の面積が広くなり、側面の強度が低くなることが懸念される。
そこで、本考案は、容量を増大するとともに、強度を向上することが可能なスーツケースを提供する。
【課題を解決するための手段】
【０００６】
本考案の一態様によるスーツケースは、第１の収納部と、第２の収納部と、前記第１の収納部に開閉可能で設けられた開閉部と、前記第１の収納部及び前記第２の収納部の境界部分を開閉不可能に固定するフレームとを具備する。
【０００７】
前記スーツケースにおいて、前記フレームは、前記第１の収納部と前記第２の収納部との間に挟まれた本体部と、前記スーツケースの外側に位置し、前記本体部の一端から両側に延在する外側部と、前記スーツケースの内側に位置し、前記本体部の他端から両側に延在する内側部とを有していてもよい。
【０００８】
前記スーツケースにおいて、前記内側部の面は、前記第１の収納部及び前記第２の収納部の面に対して傾斜を有していてもよい。
【考案の効果】
【０００９】
本考案は、容量を増大するとともに、強度を向上することが可能なスーツケースを提供することができる。
【図面の簡単な説明】
【００１０】
【図１】図１は、本考案の一実施形態に係るスーツケースの概略図を示す。
【図２】図２は、本考案の一実施形態に係るスーツケースのフレームの斜視図を示す。
【図３】図３（ａ）及び（ｂ）は、本考案の一実施形態に係るスーツケースのフレームの断面図を示す。
【考案を実施するための形態】
【００１１】
以下、実施形態について、図面を参照して説明する。尚、以下の説明において、同一の機能及び構成を有する要素については、共通する参照符号を付す。
【００１２】
［１］スーツケース
図１は、本考案の一実施形態に係るスーツケースの斜視図を示す。以下、本実施形態に係るスーツケースの構成について説明する。
【００１３】
図１に示すように、本考案の一実施形態に係るスーツケース１は、第１の収納部１０、第２の収納部２０、フレーム３０、キャリーハンドル４１、トップハンドル４２、サイドハンドル４３、キャスター５０を備えている。第１の収納部１０は、開閉部１１、ファスナー１２、引手１３、ロック機構１４を備えている。尚、スーツケース１の部品については、図示する部品に限定されず、適宜追加、変更等が可能である。
【００１４】
第１の収納部１０及び第２の収納部２０は、箱状の形状を有し、所定容量の衣服類等の荷物を収納及び保管することができる。第１の収納部１０は、ファスナー１２により開閉可能な開閉部１１を備えている。ロック機構１４は、第１の収納部１０の側面に設けられている。ファスナー１２の引手１３がロック機構１４に挿し込まれることで、引手１３がロックされる。
【００１５】
第１の収納部１０及び第２の収納部２０は、金属製、プラスチップ製、布製等の箱型で形成されている。第１の収納部１０及び第２の収納部２０が金属製の場合、例えば、それぞれ一枚のアルミニウムを含む金属（例えば、アルミニウム、アルミニウム合金等）板からなり、プレスにより所望の形状に形成されている。但し、第１の収納部１０及び第２の収納部２０の形状、素材等については、種々変更可能である。
【００１６】
フレーム３０は、第１の収納部１０及び第２の収納部２０の側面の周囲を囲むように設けられ、第１の収納部１０及び第２の収納部２０の境界部分を開閉不可能な状態に固定している。フレーム３０は、例えば、アルミニウムを含む金属（例えば、アルミニウム、アルミニウム合金等）等からなる。フレーム３０の詳細については、後述する。
【００１７】
キャリーハンドル４１は、第２の収納部２０の上面側に設けられ、上下に伸縮可能なパイプ（図示せず）に取り付けられている。トップハンドル４２は、第２の収納部２０の上面上に取り付けられている。サイドハンドル４３は、第２の収納部２０の側面上に取り付けられている。
【００１８】
キャスター５０は、第１の収納部１０及び第２の収納部２０の底面に取り付けられている。キャスター５０が回転することで、スーツケース１を容易に移動させることができる。キャスター５０は、１つのスーツケース１に対して４個設けられ、第１の収納部１０及び第２の収納部２０にそれぞれ２個ずつ設けられている。但し、本実施形態は、４輪キャスターに限定されず、２輪キャスターでもよい。
【００１９】
［２］フレーム
図２は、本考案の一実施形態に係るスーツケースのフレームの斜視図を示す。図３（ａ）及び（ｂ）は、本考案の一実施形態に係るスーツケースのフレームの断面図を示す。尚、図２及び図３（ａ）は、フレームの圧着前の状態を示し、図３（ｂ）は、フレームの圧着後の状態を示している。以下、本実施形態に係るスーツケースのフレームの構成について説明する。
【００２０】
図２、図３（ａ）及び（ｂ）に示すように、フレーム３０は、本体部３１、外側部３２、内側部３３で構成されている。
本体部３１は、第１の収納部１０と第２の収納部２０との間に挟まれている。
【００２１】
外側部３２は、スーツケース１の外側に位置し、本体部３１の一端から両側に延在している。外側部３２の両端には、第１の収納部１０及び第２の収納部２０側に突出する突出部３５が設けられている。
【００２２】
内側部３３は、スーツケース１の内側に位置し、本体部３１の他端から両側に延在している。内側部３３の両端には、第１の収納部１０及び第２の収納部２０側に突出する突出部３６が設けられている。突出部３６は、内側部３３の最端部に位置するよりも、図示するように、内側部３３の最端部より本体部３１よりに位置する方が望ましい。突出部３６の先端は、平らな凸形状よりも先細る三角形状の方が望ましい。フレーム３０を圧着した際に、より強固な圧着を実現するためである。
【００２３】
内側部３３の幅は、外側部３２の幅と同じでも異なってもよいが、外側部３２の幅より大きい方が望ましい。フレーム３０を圧着した際に、より強固な圧着を実現するためである。
突起部３４は、本体部３１の他端に設けられ、内側部３３の表面よりも突出している。突起部３４により、フレーム３０を圧着する際に力を加えやすくできる。
【００２４】
このような本実施形態のフレーム３０は、本体部３１の延在方向から圧着することで、内側部３３を変形させる。つまり、内側部３３は、突出部３６が第１の収納部１０及び第２の収納部２０に接するように。山型に曲げられる。これにより、内側部３３の突起部３６が第１の収納部１０及び第２の収納部２０に固定される。この際、内側部３３と第１の収納部１０及び第２の収納部２０との空間は、接着剤３７で充填される。
従って、本実施形態のフレーム３０では、図３（ｂ）に示すように、内側部３３の面は、第１の収納部１０及び第２の収納部２０の面に対して傾斜を有している。
【００２５】
［３］効果
本実施形態に係るスーツケース１では、第１の収納部１０及び第２の収納部２０は、フレーム３０で固定されているため開閉せず、第１の収納部１０の開閉部１１を開閉することで荷物の出し入れが行われる。このため、第１の収納部１０及び第２の収納部２０の側面の幅全てを合わせた深さの収納が可能となる。従って、従来よりも、スーツケース１の容量の拡大を実現することができるとともに、大きな荷物等の出し入れが容易となる。
【００２６】
本実施形態に係るスーツケース１では、第１の収納部１０及び第２の収納部２０の側面の中央に、一周するようにフレーム３０が設けられている。このため、フレーム３０によって、スーツケース１の側面の強度を向上することができる。
【００２７】
本実施形態のスーツケース１によれば、第１の収納部１０及び第２の収納部２０の境界部分は、開閉はされずに、フレーム３０で固定されている。従って、本実施形態のスーツケース１は、第１の収納部１０及び第２の収納部２０の境界部分が開閉する従来のスーツケースと比べて、ねじ、ヒンジ、バックルロック等を不要とする。このため、スーツケース１の軽量化を図ることができ、さらに、スーツケース１の外観が簡潔となる。
【００２８】
尚、本考案の実施形態を説明したが、この実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００２９】
１…スーツケース
１０…第１の収納部
２０…第２の収納部
３０…フレーム
３１…本体部
３２…外側部
３３…内側部
３４…突起部
３５、３６…突出部
３７…接着剤
【図１】
0003233466.tif 000003
【図２】
0003233466.tif 000004
【図３】
0003233466.tif 000005
【手続補正書】
【提出日】令和3年6月15日(2021.6.15)
【手続補正１】
【補正対象書類名】実用新案登録請求の範囲
【補正対象項目名】請求項３
【補正方法】変更
【補正の内容】
【請求項３】
前記内側部の面は、前記第１の収納部及び前記第２の収納部の面に対して傾斜を有していることを特徴とする請求項２に記載のスーツケース。